(57)【要約】【課題】特定の表示パターンを表示する場合に発生する走査信号線駆動回路の誤動作による画質不具合の発生を抑制することのできる液晶表示装置用駆動回路を実現する。【解決手段】制御回路６から走査信号線駆動回路４に入力されるゲートスタートパルス信号ＧＳＰと、走査信号線駆動回路４内に備えられた複数個のシフトレジスタ１２間において順次転送されるカスケード信号ＣＡＳＣＡＤＥとのオンパルスの周期の相違を判定するゲートスタートパルス信号判定部８を備え、さらには、信号判定部８により、両信号ＧＳＰ・ＣＡＳＣＡＤＥのオンパルスの周期が相違すると判定された場合に、データ信号線駆動回路３に入力されている映像信号ＤＡＴ１を、信号電圧の変化量が当該映像信号ＤＡＴ１の変化量よりも小さくなるような類似映像信号ＤＡＴ２に切り変えることができる映像信号切り替え部９が設けられている。【選択図】図１
2010113299.tif 000002
【特許請求の範囲】
【請求項１】
データ信号線駆動回路と、走査信号線駆動回路と、上記両駆動回路に制御信号を供給するための制御回路と、上記両駆動回路に電力を供給する電源回路とを備えた液晶表示装置用駆動回路において、
上記制御回路から走査信号線駆動回路に入力されるゲートスタートパルス信号と、
上記走査信号線駆動回路内に備えられた複数個のシフトレジスタ間において順次転送されるカスケード信号とのオンパルスの周期の相違を判定するゲートスタートパルス信号判定部を備え、
さらには、上記信号判定部により、上記両信号のオンパルスの周期が相違すると判定された場合に、
上記データ信号線駆動回路に入力されている映像信号を、
信号電圧の変化量が当該映像信号の変化量よりも小さくなるような類似映像信号に切り変えることができる映像信号切り替え部を備えていることを特徴とする液晶表示装置用駆動回路。
【請求項２】
データ信号線駆動回路と、走査信号線駆動回路と、上記両駆動回路に制御信号を供給するための制御回路と、上記両駆動回路に電力を供給する電源回路とを備えた液晶表示装置用駆動回路において、
複数個の走査信号線駆動回路が接続されており、
上記制御回路から走査信号線駆動回路に入力されるゲートスタートパルス信号と、
上記複数の走査信号線駆動回路間において順次転送されるカスケード信号とのオンパルスの周期の相違を判定するゲートスタートパルス信号判定部を備え、
さらには、上記信号判定部により、上記両信号のオンパルスの周期が相違すると判定された場合に、
上記データ信号線駆動回路に入力されている映像信号を、
信号電圧の変化量が当該映像信号の変化量よりも小さくなるような類似映像信号に切り変えることができる映像信号切り替え部を備えていることを特徴とする液晶表示装置用駆動回路。
【請求項３】
上記映像信号切り替え部は、上記信号判定部の判定に応じて選択できる第１ルックアップテーブルと第２ルックアップテーブルとを備えており、
選択するルックアップテーブルを上記第１ルックアップテーブルから第２ルックアップテーブルに変えることで、上記映像信号を上記類似映像信号に切り替えることを特徴する請求項１または２に記載の液晶表示装置用駆動回路。
【請求項４】
上記第１ルックアップテーブル及び第２ルックアップテーブルには、映像信号の有する輝度情報と階調電圧との相関に関するデータが格納されており、
上記第２ルックアップテーブルに格納されているデータの階調電圧の幅は、上記第１ルックアップテーブルに格納されているデータの階調電圧の幅よりも狭く、
上記映像信号切り替え部は、上記ゲートスタートパルス信号判定部により、上記ゲートスタートパルス信号と上記カスケード信号とのオンパルスの周期が相違すると判定された場合に、
選択するルックアップテーブルを上記第１ルックアップテーブルから第２ルックアップテーブルに変えることで、上記映像信号を上記類似映像信号に切り替えることを特徴する請求項３に記載の液晶表示装置用駆動回路。
【請求項５】
データ信号線駆動回路と、走査信号線駆動回路と、上記両駆動回路に制御信号を供給するための制御回路と、上記両駆動回路に電力を供給する電源回路とを備えた液晶表示装置用駆動回路の駆動方法において、
上記制御回路から走査信号線駆動回路に入力されるゲートスタートパルス信号と、
上記走査信号線駆動回路内に備えられた複数個のシフトレジスタ間において順次転送されるカスケード信号とのオンパルスの周期の相違を判定するゲートスタートパルス信号判定部により、
上記両信号のオンパルスの周期が相違すると判定された時には、
上記データ信号線駆動回路に入力されている映像信号を、信号電圧の変化量が当該映像信号の変化量よりも小さくなるような類似映像信号に切り変えることを特徴とする液晶表示装置用駆動回路の駆動方法。
【請求項６】
データ信号線駆動回路と、走査信号線駆動回路と、上記両駆動回路に制御信号を供給するための制御回路と、上記両駆動回路に電力を供給する電源回路とを備えた液晶表示装置用駆動回路の駆動方法において、
複数個の走査信号線駆動回路が接続されており、
上記制御回路から走査信号線駆動回路に入力されるゲートスタートパルス信号と、
上記複数の走査信号線駆動回路間において順次転送されるカスケード信号とのオンパルスの周期の相違を判定するゲートスタートパルス信号判定部により、
上記両信号のオンパルスの周期が相違すると判定された時には、
上記データ信号線駆動回路に入力されている映像信号を、信号電圧の変化量が当該映像信号の変化量よりも小さくなるような類似映像信号に切り変えることを特徴とする液晶表示装置用駆動回路の駆動方法。
【請求項７】
請求項１から４の何れか１項に記載の液晶表示装置用駆動回路を備えていることを特徴とする液晶表示装置。
【発明の詳細な説明】
【技術分野】
【０００１】
本発明は、液晶表示装置用駆動回路およびこの液晶表示装置用駆動回路を備えている液晶表示装置に関するものである。
【背景技術】
【０００２】
近年、ブラウン管（ＣＲＴ）に代わり急速に普及している液晶表示装置は、省エネ型、薄型、軽量型等の特徴を活かしテレビ、モニター、携帯電話等に幅広く利用されている。
【０００３】
液晶表示装置を駆動する時には、液晶分子に直流電圧（ＤＣ電圧）を長い期間、印加すると特性の劣化が起こるので、これを防止するため、印加する電圧の極性を周期的に変えながら駆動させる極性反転駆動方式を用いるのが一般的である。
【０００４】
図５は、従来の液晶表示装置の各種極性反転駆動方式を説明するための図である。
【０００５】
図５（ａ）は、フレーム反転駆動方式を図示しており、共通電極電圧に対して、液晶に印加されるデータ電圧の極性が、フレーム単位で同一となるように印加する駆動方式である。すなわち、図示するように、第１フレームにおいて、全画素に正極性のデータ電圧が印加された場合、次の第２フレームにおいては、全画素に負極性の電圧が印加されるような駆動方式である。この駆動方式は、スイッチングにより発生する消費電力は小さいが、正極性と負極性とにおいての透過率の非対称現象によるフリッカーには、敏感であるという問題がある。
【０００６】
図５（ｂ）は、ライン反転駆動方式を図示しており、液晶に印加されるデータ電圧の極性が、水平ライン単位で変わる駆動方式である。図示されているように、第１フレームにおいて、奇数番目の水平ラインの全画素に正極性のデータ電圧が印加され、偶数番目の水平ラインの全画素に負極性のデータ電圧が印加された場合は、次の第２フレームにおいては、奇数番目の水平ラインの全画素に負極性のデータ電圧が印加され、偶数番目の水平ラインの全画素には正極性のデータ電圧が印加される方式である。この駆動方式は、隣接する水平ライン間で、反対極性の電圧が印加されるため、隣接する水平ライン間の輝度偏差が、空間平均化により緩和されるので、上記フレーム反転駆動方式に比べ、フリッカー現象は改善される。また、垂直方向には、反対極性の電圧が分布し、データ間に発生するカップリング現象が相殺されるので、上記フレーム反転駆動方式に比べ、垂直方向のクロストークも改善される。しかし、水平方向には、同一極性の電圧が分布しているため、水平方向のクロストークが発生する。
【０００７】
図５（ｃ）は、カラム反転駆動方式を図示しており、第１フレームにおいて、奇数番目の垂直ラインの全画素に正極性のデータ電圧が印加され、偶数番目の垂直ラインの全画素に負極性のデータ電圧が印加された場合は、次の第２フレームにおいては、奇数番目の垂直ラインの全画素に負極性のデータ電圧が印加され、偶数番目の垂直ラインの全画素には正極性のデータ電圧が印加される方式である。上述したライン反転駆動方式と同じように、隣接する垂直ライン間の輝度偏差が、空間平均化により緩和されるので、上記フレーム反転駆動方式に比べ、フリッカー現象は改善される。また、上記フレーム反転駆動方式に比べ、水平方向のクロストークも改善される。しかし、垂直方向のクロストークが発生する。
【０００８】
図５（ｄ）は、ドット反転駆動方式を図示しており、現在、最も優れた画質を実現できる駆動方式であるため、高解像度の液晶表示装置の駆動方式として主に採用されている。図示されているように、上下左右全ての方向の隣接する画素間において、印加されるデータ電圧の極性が反対となっているため、空間平均化により、フリッカー現象を最少化することができる。
【特許文献１】特開２００２−２９７１０８号公報（公開日：２００２年１０月１１日）
【発明の開示】
【発明が解決しようとする課題】
【０００９】
しかしながら、本発明者らは、例えば、上述したドット反転駆動方式を用いて、液晶表示装置を駆動させる時において、詳しくは後述する特定の表示パターン（キラーパターン）を表示させた場合、走査信号線駆動回路が誤動作され、画像に乱れが生じることに気付いた。
【００１０】
この原因について、本発明者らが調査を行ったところ、上記現象は、下記のメカニズムに起因していることが判明した。
【００１１】
＜問題となる特定の表示パターン＞
先ず、問題となる特定の表示パターン（キラーパターン）について詳しく説明をする。
【００１２】
図６は、ドット反転駆動方式を用いて、液晶表示装置を駆動させる時において、走査信号線駆動回路が誤動作し、画像に乱れが生じる表示パターンを例示的に示す図である。なお、図中、白は白ＭＡＸ階調を、黒は黒ＭＡＸ階調を、（＋）は正極性を、（−）は負極性をそれぞれ示している。
【００１３】
図６（ａ）は、正極性（負極性）の白ＭＡＸ階調の画素とこれと反対極性の負極性（正極性）の白ＭＡＸ階調の画素とが、連続して縦方向に２画素繋がっており、その左右には、負極性（正極性）の黒ＭＡＸ階調の画素とこれと反対極性の正極性（負極性）の黒ＭＡＸ階調の画素とが、連続して縦方向に２画素繋がっている表示が並ぶ２Ｈ市松表示パターンを示している。
【００１４】
電圧非印加時に黒ＭＡＸを表示するノーマリブラックパネルを駆動する場合には、あるｎ行上のある１画素が正極性（負極性）の白ＭＡＸ階調を表示し、上記画素と縦方向に最隣接するｎ＋１行上の１画素がこれと反対極性の負極性（正極性）の白ＭＡＸ階調を表示する時、上記表示に伴い、データ信号線の信号電圧の変化量は最大となる。一方、あるｎ行上のある１画素が負極性（正極性）の黒ＭＡＸ階調を表示し、上記画素と縦方向に最隣接するｎ＋１行上の１画素がこれと反対極性の正極性（負極性）の黒ＭＡＸ階調を表示する時は、上記表示に伴い、データ信号線の信号電圧の変化量が最小となる。
【００１５】
また、電圧非印加時に白ＭＡＸを表示するノーマリホワイトパネルを駆動する場合には、あるｎ行上のある１画素が負極性（正極性）の黒ＭＡＸ階調を表示し、上記画素と縦方向に最隣接するｎ＋１行上の１画素がこれと反対極性の正極性（負極性）の黒ＭＡＸ階調を表示する時、上記表示に伴い、データ信号線の信号電圧の変化量が最大となる。一方、あるｎ行上のある１画素が正極性（負極性）の白ＭＡＸ階調を表示し、上記画素と縦方向に最隣接するｎ＋１行上の１画素がこれと反対極性の負極性（正極性）の白ＭＡＸ階調を表示する時は、上記表示に伴う、データ信号線の信号電圧の変化量が最小となる。
【００１６】
すなわち、図６（ａ）の表示パターンは、上記データ信号線の信号電圧の変化量が最大となる表示と最小となる表示とが、図示されているように、横方向において、交互に繰り返されるとともに、同一行上においては、上記データ信号線の信号電圧の変化量が最大となる箇所の上記データ信号線の信号電圧の変化の方向が高から低、または低から高のどちらかに揃っている表示パターンである。
【００１７】
図６（ｂ）は、正極性（負極性）の白ＭＡＸ階調の画素とこれと反対極性の負極性（正極性）の白ＭＡＸ階調の画素とが、交互に連続して縦方向に７６８画素繋がっており、その左右には、負極性（正極性）の黒ＭＡＸ階調の画素とこれと反対極性の正極性（負極性）の黒ＭＡＸ階調の画素とが、交互に連続して縦方向に７６８画素繋がっている表示が並ぶ７６８Ｈ市松表示パターン（縦ストライプ表示パターン）を示している。
【００１８】
すなわち、図６（ｂ）の表示パターンも、上記データ信号線の信号電圧の変化量が最大となる表示と最小となる表示とが、図示されているように、横方向において、交互に繰り返されるとともに、同一行上においては、上記データ信号線の信号電圧の変化量が最大となる箇所の上記データ信号線の信号電圧の変化の方向が高から低、または低から高のどちらかに揃っている表示パターンである。
【００１９】
また、図示は省略するが、３Ｈ〜７６７Ｈ市松表示パターンも、図６（ａ）および図６（ｂ）と同様に、データ信号線の信号電圧の変化量が最大となる表示と最小となる表示とが、横方向において、交互に繰り返されるとともに、同一行上においては、上記データ信号線の信号電圧の変化量が最大となる箇所の上記データ信号線の信号電圧の変化の方向が高から低、または低から高のどちらかに揃っている表示パターンである。
【００２０】
なお、２Ｈ市松表示パターンから７６８Ｈ市松表示パターンになるにつれて、データ信号線の信号電圧の変化量が最大となる数が増加するので、画像に与える悪影響は増加することとなる。
【００２１】
一方、全面白ＭＡＸ階調を表示する白ベタ表示パターンや全面黒ＭＡＸ階調を表示する黒ベタ表示パターンの場合、データ信号線の信号電圧の変化量が最大となる数は、最も多くなるが、同一行上において、上記データ信号線の信号電圧の変化の方向が一列毎に、逆（高から低と低から高）になっているため、隣り合う画素同士の充放電で、上記電圧の変化を打ち消すことができるので、問題となる特定の表示パターン（キラーパターン）にはならない。
【００２２】
以上のように、上記データ信号線の信号電圧の変化量が大きく、かつ、同一行上において、上記データ信号線の信号電圧の変化量が大きい箇所の上記データ信号線の信号電圧の変化の方向が高から低、または低から高のどちらかに揃っている表示パターンを表示する場合は、その程度に差は存在するが、走査信号線駆動回路が誤動作され、画像に乱れが生じることとなる。
【００２３】
また、問題となる特定の表示パターンとしては、上記で例に挙げた表示パターン以外にも多数存在することは言うまでもない。
【００２４】
以下、上述した特定の表示パターンを表示する場合に発生する走査信号線駆動回路の誤動作による画質不具合のメカニズムについて、詳しく説明する。
【００２５】
＜走査信号線駆動回路の誤動作による画質不具合のメカニズム＞
図７は、薄膜トランジスタ（ＴＦＴ）を用いた従来のアクティブマトリックス型液晶表示装置の要部構成を示すブロック図である。
【００２６】
上記液晶表示装置２０１は、図７に示すように、マトリックス状に配された複数の画素電極２０７を有する液晶パネル２０２、液晶パネル２０２のデータ信号線ＳＬを駆動するデータ信号線駆動回路２０３、液晶パネル２０２の走査信号線ＧＬを駆動する走査信号線駆動回路２０４、上記両駆動回路２０３・２０４に電力を供給する電源回路２０５、上記両駆動回路２０３・２０４に制御信号を供給する制御回路２０６を備えている。
【００２７】
上記液晶パネル２０２には、上記複数の画素電極２０７と複数のデータ信号線ＳＬと、これらデータ信号線ＳＬに交差するように複数の走査信号線ＧＬが設けられている。上記各データ信号線ＳＬと上記各走査信号線ＧＬとが交差する箇所に対応して上記画素電極２０７が設けられている。
【００２８】
また、上記制御回路２０６は、液晶パネル２０２に表示する画像の映像信号ＤＡＴを出力する。上記映像信号ＤＡＴは、上記画像の各画素の表示状態を示す映像データが時分割で転送されてなる。さらには、上記制御回路２０６は、上記映像信号ＤＡＴとともに、映像信号ＤＡＴを液晶パネル２０２に正しく表示するためのタイミング信号として、ソースクロック信号ＳＣＫおよびソーススタートパルス信号ＳＳＰを、データ信号線駆動回路２０３に出力し、ゲートクロック信号ＧＣＫおよびゲートスタートパルス信号ＧＳＰを、走査信号線駆動回路２０４に出力する。
【００２９】
上記走査信号線駆動回路２０４は、上記ゲートクロック信号ＧＣＫなどのタイミング信号に同期して複数の走査信号線ＧＬを順次選択する。一方、上記データ信号線駆動回路２０３は、上記ソースクロック信号ＳＣＫなどのタイミング信号に同期して動作し、各データ信号線ＳＬに応じたタイミングを特定し、上記各タイミングで上記映像信号ＤＡＴをサンプリングし、サンプリング結果に応じた信号を、上記各データ信号ＳＬに書き込む。
【００３０】
上記画素電極２０７の大きさに分画されている上記液晶パネル２０２の各画素は、それぞれに対応する走査信号線ＧＬが選択されている間、それぞれに対応するデータ信号線ＳＬに出力されたデータに応じて、それぞれの明るさを制御し、映像信号ＤＡＴが示す画像を表示する。
【００３１】
図８は、上記液晶表示装置２０１に備えられている液晶パネル２０２の各画素の等価回路を示しており、走査信号線ＧＬにリップルが発生することを説明するための図である。
【００３２】
スイッチング素子として薄膜トランジスタ（以下ＴＦＴと称する）２０８を用いた上記液晶表示装置２０１においては、ＴＦＴ２０８がオンになった時、各データ信号線ＳＬから供給される信号電圧はＴＦＴ２０８を通じてドレイン電圧として画素電極２０７に印加される構成となっている。
【００３３】
さらに、図８に図示されているように、上記液晶表示装置２０１の場合は、各画素の画素電極２０７と対向電極２１０との間に液晶を挟んで液晶容量Ｃｌを構成しているが、液晶容量Ｃｌに充電した電荷の減衰時間を長くするため、液晶容量Ｃｌと並列に補助容量Ｃｓを接続する構成である。
【００３４】
以下、問題となる特定の表示パターン（キラーパターン）の一例として、上記図６（ａ）の表示パターン、すなわち、２Ｈ市松表示パターンを上記液晶表示装置２０１に備えられている液晶パネル２０２に表示する場合を例に挙げて、ＶＧＬ（ゲートＬｏｗ電圧）が印加されている走査信号線ＧＬにリップルが発生するメカニズムを詳しく説明する。
【００３５】
例えば、上記２Ｈ市松表示パターンを表示する場合、正極性の白ＭＡＸ階調に該当する電圧を１５．２Ｖ、負極性の白ＭＡＸ階調に該当する電圧を０．２Ｖとすると、リップルが発生する走査信号線ＧＬとこれと関連したデータ信号線ＳＬの電圧の変化を図８に示す。
【００３６】
先ず、走査信号線ＧＬのｎ行目（ＧＬｎ）が選択されている期間には、ＧＬｎに、ＶＧＨ（ゲートＨｉｇｈ電圧）が印加され、ＧＬｎ以外の走査信号線ＧＬには、ＶＧＬ（ゲートＬｏｗ電圧）が印加される。この時、該当データ信号線ＳＬからは、正極性の白ＭＡＸ階調に該当する電圧１５．２Ｖが印加される。
【００３７】
次に、走査信号線ＧＬのｎ＋１行目（ＧＬｎ＋１）が選択されている期間には、ＧＬｎ＋１に、ＶＧＨ（ゲートＨｉｇｈ電圧）が印加され、ＧＬｎ＋１以外の走査信号線ＧＬには、ＶＧＬ（ゲートＬｏｗ電圧）が印加される。この時、該当データ信号線ＳＬからは、負極性の白ＭＡＸ階調に該当する電圧０．２Ｖが印加される。
【００３８】
したがって、上記２Ｈ市松表示パターンを表示する場合、該当データ信号線ＳＬにおいては、１５Ｖの電圧変化を伴うこととなる。
【００３９】
図８に図示されているように、上記液晶パネル２０２には、走査信号線ＧＬとデータ信号線ＳＬとが絶縁膜を介して交差している箇所に、既成容量２０９が存在するため、ＧＬｎにＶＧＬ（ゲートＬｏｗ電圧）が印加され、該当データ信号線ＳＬに印加される電圧が１５．２Ｖから０．２Ｖに変わる時に、ＶＧＬ（ゲートＬｏｗ電圧）が印加されているＧＬｎには、図示するような付き下げのリップルが発生することとなる。
【００４０】
図８では、付き下げのリップルのみを図示しているが、データ信号線ＳＬに印加される電圧が０．２Ｖから１５．２Ｖに変わる時には、ＶＧＬ（ゲートＬｏｗ電圧）が印加されているＧＬｎには、付き上げのリップルが発生するのはもちろんである。
【００４１】
図９は、走査信号線駆動回路２０４の要部構成を示す図である。
【００４２】
上記走査信号線駆動回路２０４は、ｓ個の走査信号線ＧＬに対応できるようにｓ個のシフトレジスタ２１１と、上記シフトレジスタ２１１からのｓ個の各出力をＴＦＴ２０８のオン・オフ電圧に変換するｓ個のレベルシフター２１２と、上記走査信号線ＧＬの負荷を考慮して電流を増幅するｓ個のバッファ部２１３とで構成されている。
【００４３】
上記走査信号線駆動回路２０４の出力を開始させるためのゲートスタートパルス信号ＧＳＰがシフトレジスタ２１１に入力された後、シフトレジスタ２１１では、ゲートクロック信号ＧＣＫが入力されるたびに、Ｈｉｇｈレベルの出力が順次シフトするように、ゲートパルスＧＰ（１）〜ＧＰ（ｓ）が生成される。合わせて、上記ゲートスタートパルス信号ＧＳＰが、次のシフトレジスタに、カスケード信号ＣＡＳＣＡＤＥとして順次伝達される。
【００４４】
一方、上記レベルシフター２１２は、上記シフトレジスタ２１１からの出力がＨｉｇｈレベル時には、ＶＧＨ（ゲートＨｉｇｈ電圧）が上記バッファ部２１３に出力され、Ｌｏｗレベル時には、ＶＧＬ（ゲートＬｏｗ電圧）が上記バッファ部２１３に出力されるように構成されている。
【００４５】
図７および図９に図示されているように、走査信号線駆動回路２０４には、電源回路２０５からＶＧＨ（ゲートＨｉｇｈ電圧）とＶＧＬ（ゲートＬｏｗ電圧）とが供給され、さらには、制御回路２０６からは、ゲートクロック信号ＧＣＫおよびゲートスタートパルス信号ＧＳＰが供給される構成となっている。
【００４６】
図１０は、上記走査信号線駆動回路２０４に備えられたロジック電源部２１４を概略的に示す図である。
【００４７】
上記走査信号線駆動回路２０４は、その構造から基板電位がＶＧＬ（ゲートＬｏｗ電圧）となっているため、走査信号線ＧＬに印加されているＶＧＬ（ゲートＬｏｗ電圧）に発生したリップルは、図１０に図示されているように、上記走査信号線駆動回路２０４内の全てのロジック電源（ＶＣＣ/ＧＮＤ）に影響を及ぼし、伝搬されることとなる。なお、上記電源（ＶＣＣ/ＧＮＤ）への影響の水準は、配線抵抗や既成容量にも依存しており、配線抵抗が高い場合、特に問題となる。
【００４８】
図１１は、上記走査信号線駆動回路２０４において、信号が誤認識される期間が発生する場合を示す図である。
【００４９】
上述したように、走査信号線ＧＬに印加されているＶＧＬ（ゲートＬｏｗ電圧）に発生した付き下げリップルは、図１１に図示されているように、上記走査信号線駆動回路２０４内の全てのロジック電源（ＶＣＣ/ＧＮＤ）に影響を及ぼし、伝搬されるので、このように付き下げリップルが発生した期間においては、ＶＣＣとＧＮＤとによって定まるＨ認識レベルも付き下げられることとなる。
【００５０】
しかし、外部の制御回路２０６から供給されるゲートスタートパルス信号ＧＳＰは、上記リップルの影響を受けないため、図１１に図示されているように、本来、Ｌｏｗレベルのゲートスタートパルス信号ＧＳＰが送られている期間にも係らず、Ｈ認識レベルが、上記リップルによって付き下げられている期間においては、Ｈ認識レベルとゲートスタートパルス信号ＧＳＰが逆転し、信号が誤認識される期間が発生している。したがって、上記走査信号線駆動回路２０４が誤動作され、画像に乱れが生じることとなる。
【００５１】
図１２（ａ）は、外部から走査信号線駆動回路２０４に入力されるゲートスタートパルス信号ＧＳＰを示し、図１２（ｂ）は、リップル発生時に、走査信号線駆動回路２０４内を通して順次転送されるカスケード信号ＣＡＳＣＡＤＥを示す。
【００５２】
図１２（ａ）に図示されているように、外部から走査信号線駆動回路２０４に入力されるゲートスタートパルス信号ＧＳＰは、１フレームの開始時に１回立ち上がるので、一定のタイミングとなっているが、図１２（ｂ）においては、上述した誤認識の影響により、上記走査信号線駆動回路２０４内を通して順次転送されるカスケード信号ＣＡＳＣＡＤＥがランダムに立ち上がっている。
【００５３】
上記のように、上記走査信号線駆動回路２０４が、複数の走査信号線駆動回路が接続されて構成されている場合においては、特に１個目の走査信号線駆動回路は、外部の制御回路２０６で生成された信号を走査信号線駆動回路内部でバッファリングしているため、走査信号線駆動回路内部のＶＣＣ/ＧＮＤにリップルが発生した場合、誤認識され易くなる。
【００５４】
本発明は、上記の問題点に鑑みてなされたものであり、特定の表示パターンを表示する場合に発生する走査信号線駆動回路の誤動作による画質不具合の発生を抑制することのできる液晶表示装置用駆動回路を提供することを目的とする。
【００５５】
また、特定の表示パターンを表示する場合に発生する走査信号線駆動回路の誤動作による画質不具合の発生を抑制することのできる液晶表示装置用駆動回路の駆動方法を提供することを目的とする。
【００５６】
また、上記液晶表示装置用駆動回路を備えることにより、特定の表示パターンを表示する場合においても、画質不具合が発生しない液晶表示装置を提供することを目的とする。
【課題を解決するための手段】
【００５７】
本発明の液晶表示装置用駆動回路は、上記の課題を解決するために、データ信号線駆動回路と、走査信号線駆動回路と、上記両駆動回路に制御信号を供給するための制御回路と、上記両駆動回路に電力を供給する電源回路とを備えた液晶表示装置用駆動回路において、上記制御回路から走査信号線駆動回路に入力されるゲートスタートパルス信号と、上記走査信号線駆動回路内に備えられた複数個のシフトレジスタ間において順次転送されるカスケード信号とのオンパルスの周期の相違を判定するゲートスタートパルス信号判定部を備え、さらには、上記信号判定部により、上記両信号のオンパルスの周期が相違すると判定された場合に、上記データ信号線駆動回路に入力されている映像信号を、信号電圧の変化量が当該映像信号の変化量よりも小さくなるような類似映像信号に切り変えることができる映像信号切り替え部を備えていることを特徴としている。
【００５８】
本発明の液晶表示装置用駆動回路の駆動方法は、上記の課題を解決するために、データ信号線駆動回路と、走査信号線駆動回路と、上記両駆動回路に制御信号を供給するための制御回路と、上記両駆動回路に電力を供給する電源回路とを備えた液晶表示装置用駆動回路の駆動方法において、上記制御回路から走査信号線駆動回路に入力されるゲートスタートパルス信号と、上記走査信号線駆動回路内に備えられた複数個のシフトレジスタ間において順次転送されるカスケード信号とのオンパルスの周期の相違を判定するゲートスタートパルス信号判定部により、上記両信号のオンパルスの周期が相違すると判定された時には、上記データ信号線駆動回路に入力されている映像信号を、信号電圧の変化量が当該映像信号の変化量よりも小さくなるような類似映像信号に切り変えることを特徴としている。
【００５９】
上述したように、特定の表示パターン（キラーパターン）を表示した場合に発生するリップルは、上記走査信号線駆動回路内の全てのロジック電源（ＶＣＣ/ＧＮＤ）に影響を及ぼし、ＶＣＣとＧＮＤとによって定まるＨ認識レベルをも突き上げまたは、付き下げる。したがって、上記制御回路から出力されたゲートスタートパルス信号は、上記走査信号線駆動回路で誤認識されるため、上記制御回路から走査信号線駆動回路に入力されるゲートスタートパルス信号と、上記走査信号線駆動回路内を通して順次転送されるカスケード信号とは、一致しなくなる。
【００６０】
上記構成によれば、上記ゲートスタートパルス信号判定部を備えることにより、リップルの発生によって変化するカスケード信号をモニターすることができる。上記制御回路から走査信号線駆動回路に入力されるゲートスタートパルス信号と、当該入力ゲートスタートパルス信号が上記走査信号線駆動回路に入力された後に、当該走査信号線駆動回路内を通して順次転送されるカスケード信号とが一致しなくなる場合、すなわちリップルが発生した場合は、このリップルの原因となる映像信号を切り替える構成である。
【００６１】
また、上記構成によれば、上記映像信号切り替え部を備えることにより、リップルを発生させる上記データ信号線駆動回路に入力されている映像信号を、信号電圧の変化量が当該映像信号の変化量よりも小さくなるような類似映像信号に切り変えることができる。
【００６２】
以上のように、上記のような類似映像信号に切り替えることにより、リップルの発生を抑制することができ、特定の表示パターンを表示する場合に発生する走査信号線駆動回路の誤動作による画質不具合の発生を抑制することのできる液晶表示装置用駆動回路または、液晶表示装置用駆動回路の駆動方法を実現することができる。
【００６３】
なお、上記類似映像信号とは、データ信号線においての信号電圧の変化量が小さくなるように、比較的高い電圧を必要とする一定領域の階調を使用していない類似映像信号である。
【００６４】
本発明の液晶表示装置用駆動回路は、上記の課題を解決するために、データ信号線駆動回路と、走査信号線駆動回路と、上記両駆動回路に制御信号を供給するための制御回路と、上記両駆動回路に電力を供給する電源回路とを備えた液晶表示装置用駆動回路において、複数個の走査信号線駆動回路が接続されており、上記制御回路から走査信号線駆動回路に入力されるゲートスタートパルス信号と、上記複数の走査信号線駆動回路間において順次転送されるカスケード信号とのオンパルスの周期の相違を判定するゲートスタートパルス信号判定部を備え、さらには、上記信号判定部により、上記両信号のオンパルスの周期が相違すると判定された場合に、上記データ信号線駆動回路に入力されている映像信号を、信号電圧の変化量が当該映像信号の変化量よりも小さくなるような類似映像信号に切り変えることができる映像信号切り替え部を備えていることを特徴としている。
【００６５】
本発明の液晶表示装置用駆動回路の駆動方法は、上記の課題を解決するために、データ信号線駆動回路と、走査信号線駆動回路と、上記両駆動回路に制御信号を供給するための制御回路と、上記両駆動回路に電力を供給する電源回路とを備えた液晶表示装置用駆動回路の駆動方法において、複数個の走査信号線駆動回路が接続されており、上記制御回路から走査信号線駆動回路に入力されるゲートスタートパルス信号と、上記複数の走査信号線駆動回路間において順次転送されるカスケード信号とのオンパルスの周期の相違を判定するゲートスタートパルス信号判定部により、上記両信号のオンパルスの周期が相違すると判定された時には、上記データ信号線駆動回路に入力されている映像信号を、信号電圧の変化量が当該映像信号の変化量よりも小さくなるような類似映像信号に切り変えることを特徴としている。
【００６６】
上記構成によれば、リップルが発生した場合に、さらに誤認識され易い構成である上記走査信号線駆動回路が、複数の走査信号線駆動回路がカスケード接続されて構成されている場合においても、リップルの発生を抑制することができ、特定の表示パターンを表示する場合に発生する走査信号線駆動回路の誤動作による画質不具合の発生を抑制することのできる液晶表示装置用駆動回路または、液晶表示装置用駆動回路の駆動方法を実現することができる。
【００６７】
本発明の液晶表示装置用駆動回路において、上記映像信号切り替え部は、上記信号判定部の判定に応じて選択できる第１ルックアップテーブルと第２ルックアップテーブルとを備えており、選択するルックアップテーブルを上記第１ルックアップテーブルから第２ルックアップテーブルに変えることで、上記映像信号を上記類似映像信号に切り替えることが好ましい。
【００６８】
本発明の液晶表示装置用駆動回路において、上記第１ルックアップテーブル及び第２ルックアップテーブルには、映像信号の有する輝度情報と階調電圧との相関に関するデータが格納されており、上記第２ルックアップテーブルに格納されているデータの階調電圧の幅は、上記第１ルックアップテーブルに格納されているデータの階調電圧の幅よりも狭く、上記映像信号切り替え部は、上記ゲートスタートパルス信号判定部により、上記ゲートスタートパルス信号と上記カスケード信号とのオンパルスの周期が相違すると判定された場合に、選択するルックアップテーブルを上記第１ルックアップテーブルから第２ルックアップテーブルに変えることで、上記映像信号を上記類似映像信号に切り替えることが好ましい。
【００６９】
上記構成によれば、例えば、リップルが発生していない時用度に、階調と輝度の関係が、ガンマ値２．２のカーブになるように補正するための第１ルックアップテーブルと、リップルが発生している時用度に、上記データ信号線駆動回路に入力されている映像信号を、信号電圧の変化量が当該映像信号の変化量よりも小さくなるような類似映像信号に切り変えるための第２ルックアップテーブルとを備えている。
【００７０】
したがって、上記構成によれば、リップルが発生していない時とリップルが発生している時とに分けて映像信号の補正を行うことができる液晶表示装置用駆動回路を実現することができる。
【００７１】
本発明の液晶表示装置は、上記の課題を解決するために、上記液晶表示装置用駆動回路を備えていることを特徴としている。
【００７２】
上記構成によれば、特定の表示パターンを表示する場合に発生する走査信号線駆動回路の誤動作による画質不具合の発生を抑制することのできる液晶表示装置用駆動回路を備えることにより、特定の表示パターンを表示する場合においても、画質不具合が発生しない液晶表示装置を実現することができる。
【発明の効果】
【００７３】
本発明の液晶表示装置用駆動回路は、以上のように、上記制御回路から走査信号線駆動回路に入力されるゲートスタートパルス信号と、上記走査信号線駆動回路内に備えられた複数個のシフトレジスタ間において順次転送されるカスケード信号とのオンパルスの周期の相違を判定するゲートスタートパルス信号判定部を備え、さらには、上記信号判定部により、上記両信号のオンパルスの周期が相違すると判定された場合に、上記データ信号線駆動回路に入力されている映像信号を、信号電圧の変化量が当該映像信号の変化量よりも小さくなるような類似映像信号に切り変えることができる映像信号切り替え部を備えているものである。
【００７４】
本発明の液晶表示装置用駆動回路は、以上のように、複数個の走査信号線駆動回路が接続されており、上記制御回路から走査信号線駆動回路に入力されるゲートスタートパルス信号と、上記複数の走査信号線駆動回路間において順次転送されるカスケード信号とのオンパルスの周期の相違を判定するゲートスタートパルス信号判定部を備え、さらには、上記信号判定部により、上記両信号のオンパルスの周期が相違すると判定された場合に、上記データ信号線駆動回路に入力されている映像信号を、信号電圧の変化量が当該映像信号の変化量よりも小さくなるような類似映像信号に切り変えることができる映像信号切り替え部を備えているものである。
【００７５】
また、本発明の液晶表示装置用駆動回路の駆動方法は、以上のように、上記制御回路から走査信号線駆動回路に入力されるゲートスタートパルス信号と、上記走査信号線駆動回路内に備えられた複数個のシフトレジスタ間において順次転送されるカスケード信号とのオンパルスの周期の相違を判定するゲートスタートパルス信号判定部により、上記両信号のオンパルスの周期が相違すると判定された時には、上記データ信号線駆動回路に入力されている映像信号を、信号電圧の変化量が当該映像信号の変化量よりも小さくなるような類似映像信号に切り変える方法である。
【００７６】
また、本発明の液晶表示装置用駆動回路の駆動方法は、以上のように、複数個の走査信号線駆動回路が接続されており、上記制御回路から走査信号線駆動回路に入力されるゲートスタートパルス信号と、上記複数の走査信号線駆動回路間において順次転送されるカスケード信号とのオンパルスの周期の相違を判定するゲートスタートパルス信号判定部により、上記両信号のオンパルスの周期が相違すると判定された時には、上記データ信号線駆動回路に入力されている映像信号を、信号電圧の変化量が当該映像信号の変化量よりも小さくなるような類似映像信号に切り変える方法である。
【００７７】
また、本発明の液晶表示装置は、以上のように、上記液晶表示装置用駆動回路を備えているものである。
【００７８】
それゆえ、特定の表示パターンを表示する場合に発生する走査信号線駆動回路の誤動作による画質不具合の発生を抑制することのできる液晶表示装置用駆動回路を実現できるという効果を奏する。
【００７９】
また、特定の表示パターンを表示する場合に発生する走査信号線駆動回路の誤動作による画質不具合の発生を抑制することのできる液晶表示装置用駆動回路の駆動方法を実現できるという効果を奏する。
【００８０】
また、上記液晶表示装置用駆動回路を備えることにより、特定の表示パターンを表示する場合においても、画質不具合が発生しない液晶表示装置を実現できるという効果を奏する。
【発明を実施するための最良の形態】
【００８１】
以下、図面に基づいて本発明の実施の形態について例示的に詳しく説明する。ただし、この実施の形態に記載されている構成部品の寸法、材質、形状、その相対配置などは、特に限定的な記載がない限り、この発明の範囲をそれのみに限定する趣旨ではなく、単なる説明例に過ぎない。
【００８２】
本発明の一実施の形態の液晶表示装置は、特定の表示パターンを表示する場合においても、画質不具合が発生しない液晶表示装置である。
【００８３】
以下、図１〜４に基づいて説明する。
【００８４】
〔実施の形態１〕
図１は、本発明の一実施の形態の液晶表示装置１の要部構成を示すブロック図である。
【００８５】
上記液晶表示装置１は、図１に示すように、マトリックス状に配された複数の画素電極７を有する液晶パネル２、液晶パネル２のデータ信号線ＳＬを駆動するデータ信号線駆動回路３、液晶パネル２の走査信号線ＧＬを駆動する走査信号線駆動回路４、上記両駆動回路３・４に電力を供給する電源回路５、上記両駆動回路３・４に制御信号を供給する制御回路６を備えている。
【００８６】
また、本発明の一実施の形態の液晶表示装置１に備えられた液晶表示装置用駆動回路１０は、上記データ信号線駆動回路３と、上記走査信号線駆動回路４と、上記電源回路５と、上記制御回路６とを備えている。
【００８７】
上記液晶パネル２には、上記複数の画素電極７と複数のデータ信号線ＳＬと、これらデータ信号線ＳＬに交差するように複数の走査信号線ＧＬが設けられている。また、上記各データ信号線ＳＬと上記各走査信号線ＧＬとが交差する箇所に対応して上記画素電極７と図示は省略するが、スイッチング素子としてＴＦＴとが設けられている。
【００８８】
本実施の形態においては、上記液晶パネル２として、電圧非印加時に黒を表示するノーマリブラックパネルを用いているとともに、バックライトからの光を透過して表示を行う透過型の液晶パネルを使用した。
【００８９】
なお、上記液晶パネル２の構成は特に限定されず、適宜公知の液晶パネルを適用することができる。図示は省略するが、液晶パネル２は、例えば、複数のＴＦＴが形成されたアクティブマトリクス基板と、これに対向するカラーフィルタ基板とを備え、これらの基板の間に液晶層がシール材によって封入された構成を有している。
【００９０】
また、上記制御回路６は、液晶パネル２に表示する画像の映像信号ＤＡＴ１・ＤＡＴ２を出力する。上記映像信号ＤＡＴ１・ＤＡＴ２は、上記画像の各画素の表示状態を示す映像データが時分割で転送されてなる。さらには、上記制御回路６は、上記映像信号ＤＡＴ１・ＤＡＴ２とともに、映像信号ＤＡＴ１・ＤＡＴ２を液晶パネル２に正しく表示するためのタイミング信号として、ソースクロック信号ＳＣＫおよびソーススタートパルス信号ＳＳＰを、データ信号線駆動回路３に出力し、ゲートクロック信号ＧＣＫおよびゲートスタートパルス信号ＧＳＰを、走査信号線駆動回路４に出力する。
【００９１】
上記走査信号線駆動回路４は、上記ゲートクロック信号ＧＣＫなどのタイミング信号に同期して複数の走査信号線ＧＬを順次選択する。一方、上記データ信号線駆動回路３は、上記ソースクロック信号ＳＣＫなどのタイミング信号に同期して動作し、各データ信号線ＳＬに応じたタイミングを特定し、上記各タイミングで上記映像信号ＤＡＴ１・ＤＡＴ２をサンプリングし、サンプリング結果に応じた信号を、上記各データ信号線ＳＬに書き込む。
【００９２】
上記画素電極７の大きさに分画されている上記液晶パネル２の各画素は、それぞれに対応する走査信号線ＧＬが選択されている間、それぞれに対応するデータ信号線ＳＬに出力されたデータに応じて、それぞれの明るさを制御し、映像信号ＤＡＴ１・ＤＡＴ２が示す画像を表示する構成となっている。
【００９３】
図２（ａ）は、本発明の一実施の形態の液晶表示装置に備えられた走査信号線駆動回路４の概略構成を示しており、図２（ｂ）は、本発明の他実施の形態の液晶表示装置に備えられた走査信号線駆動回路４ａの概略構成とを示す図である。
【００９４】
図２（ａ）に図示されているように、上記走査信号線駆動回路４の出力を開始させるためのゲートスタートパルス信号ＧＳＰが複数個のシフトレジスタ１２（１）〜１２（ｓ）で構成されるシフトレジスタ１２に入力された後、シフトレジスタ１２では、ゲートクロック信号ＧＣＫが入力されるたびに、Ｈｉｇｈレベルの出力が順次シフトするように、ゲートパルスＧＰ（１）〜ＧＰ（ｓ）が生成される。合わせて、上記ゲートスタートパルス信号ＧＳＰが、次のシフトレジスタに、カスケード信号ＣＡＳＣＡＤＥとして順次伝達される。
【００９５】
一方、図２（ｂ）に図示されている走査信号線駆動回路４ａにおいては、複数の走査信号線駆動回路４（１）〜４（ｓ）が接続されて構成されており、カスケード信号ＣＡＳＣＡＤＥは、複数の走査信号線駆動回路４（１）〜４（ｓ）内を通して順次転送される。
【００９６】
本発明の一実施の形態の液晶表示装置１の上記制御回路６には、さらに、詳しくは後述するゲートスタートパルス信号判定部８と映像信号切り替え部９とが備えられている。なお、本実施の形態においては、上記ゲートスタートパルス信号判定部８と映像信号切り替え部９とを上記制御回路６内に設けたが、これに限定されることはない。
【００９７】
上記液晶表示装置１を例えば、ドット反転駆動方式で駆動させる時において、図６（ａ）または、図６（ｂ）に示すようなキラーパターンを表示させた場合には、走査信号線駆動回路４が誤動作され、画像に乱れが生じることとなる。
【００９８】
これは、詳しくは上述したように、上記液晶パネル２側で発生したリップルが、上記走査信号線駆動回路４内の全てのロジック電源（ＶＣＣ/ＧＮＤ）に影響を及ぼし、上記制御回路６から入力されたゲートスタートパルス信号ＧＳＰが、上記走査信号線駆動回路４内で誤認識されるためである。
【００９９】
すなわち、リップルが発生すると、上記制御回路６から走査信号線駆動回路４に入力される入力ゲートスタートパルス信号ＧＳＰと、上記走査信号線駆動回路４内を通して順次転送されるカスケード信号ＣＡＳＣＡＤＥとが一致しなくなるのである。
【０１００】
したがって、上記液晶表示装置１は、図１に図示するように、上記リップルの発生を抑制するため、上記両信号ＧＳＰ・ＣＡＳＣＡＤＥが一致するかを判定するゲートスタートパルス信号判定部８と、さらには、上記信号判定部８により、上記両信号ＧＳＰ・ＣＡＳＣＡＤＥのオンパルスの周期が相違すると判定された場合に、上記データ信号線駆動回路３に入力されている映像信号ＤＡＴ１を、信号電圧の変化量が当該映像信号ＤＡＴ１の変化量よりも小さくなるような類似映像信号ＤＡＴ２に切り変えることができる映像信号切り替え部９とを備えている。
【０１０１】
上記信号判定部８は、入力された上記両信号ＧＳＰ・ＣＡＳＣＡＤＥが一致するかを判定するため、フリップフロップを複数個組み合わせたカウンタ回路から構成されており、上記判定結果を上記映像信号切り替え部９に出力するようになっている。
【０１０２】
また、上記信号判定部８においては、入力された上記両信号ＧＳＰ・ＣＡＳＣＡＤＥの立ち上がり数をカウントし、信号の一致を判定する。
【０１０３】
図３は、本発明の一実施の形態の液晶表示装置１に備えられている映像信号切り替え部９を示す図である。
【０１０４】
上記映像信号切り替え部９は、上記信号判定部８からの出力に応じて、選択できる第１ルックアップテーブルＬＵＴ１と第２ルックアップテーブルＬＵＴ２とを備えており、上記第１ルックアップテーブルＬＵＴ１または、上記第２ルックアップテーブルＬＵＴ２に予め格納されているデータにより、映像信号ＤＡＴの輝度は、変換されるようになっている。
【０１０５】
図３に図示されているように、本実施の形態において、ＬＵＴ１には、階調と輝度の関係が、ガンマ値２．２のカーブになるように補正するためのデータがＲＯＭに格納されており、ＬＵＴ２には、リップルの原因となるデータ信号線ＳＬにおいての信号電圧の変化量が小さくなるように、例えば、黒ＭＡＸ階調の０階調から白ＭＡＸ階調の２５５階調で構成される８ビット映像信号の場合においては、２４０階調以上の映像信号ＤＡＴを、全て２４０階調に補正して出力させるようなデータがＲＯＭに格納されている。すなわち、ＬＵＴ１は、リップル非発生時用度に、ＬＵＴ２は、リップル発生時用度にそれぞれ設けられている。
【０１０６】
したがって、上記信号判定部８により、上記両信号ＧＳＰ・ＣＡＳＣＡＤＥが、一致すると判定された場合は、映像信号ＤＡＴは、ＬＵＴ１を参照して補正された映像信号ＤＡＴ１を出力する。一方、上記両信号ＧＳＰ・ＣＡＳＣＡＤＥのオンパルスの周期が相違すると判定された場合は、映像信号ＤＡＴは、ＬＵＴ２を参照して補正されたＤＡＴ２を出力する。
【０１０７】
上記構成によれば、上記信号判定部８を備えることにより、リップルの発生によって変化したカスケード信号ＣＡＳＣＡＤＥをモニターすることができる。上記制御回路６から出力されたゲートスタートパルス信号ＧＳＰと、上記走査信号線駆動回路４内を通して順次転送されるカスケード信号ＣＡＳＣＡＤＥとが一致しなくなる場合、すなわちリップルが発生した場合は、このリップルの原因となる映像信号ＤＡＴ１を切り替えるようになっている。
【０１０８】
また、上記構成によれば、上記映像信号切り替え部９を備えることにより、リップルを発生させる映像信号ＤＡＴ１に比べて、データ信号線ＳＬにおいての信号電圧の変化量が小さくなるような類似映像信号ＤＡＴ２に切り替えることができる。
【０１０９】
また、上記類似映像信号ＤＡＴ２は、リップル発生時の映像信号に比べて、データ信号線ＳＬにおいての信号電圧の変化量が小さくなるようにすれば、リップルを抑制することはできるが、リップルが全く発生しない水準に補正するためのＬＵＴ２を設けることがより好ましい。
【０１１０】
また、上記構成によれば、上記両信号ＧＳＰ・ＣＡＳＣＡＤＥのオンパルスの周期が相違すると判定された時には、上記データ信号線駆動回路３に入力されている映像信号ＤＡＴ１を、信号電圧の変化量が当該映像信号ＤＡＴ１の変化量よりも小さくなるような類似映像信号ＤＡＴ２に切り変えて駆動することができる。
【０１１１】
以上のように、上記のような類似映像信号ＤＡＴ２に切り替えることにより、リップルの発生を抑制することができ、特定の表示パターンを表示する場合に発生する走査信号線駆動回路４の誤動作による画質不具合の発生を抑制することのできる液晶表示装置用駆動回路１０または、液晶表示装置用駆動回路１０の駆動方法を実現することができる。
【０１１２】
また、さらには、上記構成によれば、リップルが発生していない時とリップルが発生している時とに分けて映像信号ＤＡＴの補正を行うことができる液晶表示装置用駆動回路１０を実現することができる。
【０１１３】
また、上記液晶表示装置１は、特定の表示パターンを表示する場合に発生する走査信号線駆動回路４の誤動作による画質不具合の発生を抑制することのできる液晶表示装置用駆動回路１０を備えることにより、特定の表示パターンを表示する場合においても、画質不具合が発生しない液晶表示装置１を実現することができる。
【０１１４】
〔実施の形態２〕
つぎに、図２（ｂ）に基づいて、本発明の第２の実施形態について説明する。なお、本実施の形態において説明すること以外の構成は、上記実施の形態１と同じである。また、説明の便宜上、上記の実施の形態１の図面に示した部材と同じ機能を有する部材については、同じ符号を付し、その説明を省略する。
【０１１５】
図２（ｂ）は、本発明の他実施の形態の液晶表示装置に備えられた走査信号線駆動回路４ａの概略構成を示す図である。
【０１１６】
図２（ｂ）に図示されているように、上記走査信号線駆動回路４ａは、複数の走査信号線駆動回路４（１）〜４（ｓ）が接続されて構成されており、カスケード信号ＣＡＳＣＡＤＥは、複数の走査信号線駆動回路４（１）〜４（ｓ）内を通して順次転送される。
【０１１７】
上記のような構成である場合、特に１個目の走査信号線駆動回路４（１）は、図示されてない外部の制御回路で生成された信号を走査信号線駆動回路４（１）内部でバッファリングしているため、走査信号線駆動回路４（１）内部のＶＣＣ/ＧＮＤにリップルが発生した場合、誤認識され易くなる構成である。
【０１１８】
したがって、複数の走査信号線駆動回路４（１）〜４（ｓ）が接続された上記走査信号線駆動回路４ａを備えた液晶表示装置用駆動回路１０においては、図１に図示されているように、上記制御回路６から出力されるゲートスタートパルス信号ＧＳＰと、上記複数の走査信号線駆動回路４（１）〜４（ｓ）内を通して順次転送されるカスケード信号ＣＡＳＣＡＤＥとが一致するかを判定するゲートスタートパルス信号判定部８を備え、さらには、上記信号判定部８により、上記両信号ＧＳＰ・ＣＡＳＣＡＤＥのオンパルスの周期が相違すると判定された場合に、上記データ信号線駆動回路３に入力されている映像信号ＤＡＴ１を、信号電圧の変化量が当該映像信号ＤＡＴ１の変化量よりも小さくなるような類似映像信号ＤＡＴ２に切り変えることができる映像信号切り替え部９を備えていることが好ましい。
【０１１９】
また、複数の走査信号線駆動回路４（１）〜４（ｓ）が接続された上記走査信号線駆動回路４ａを備えた液晶表示装置用駆動回路１０は、上記制御回路６から出力されるゲートスタートパルス信号ＧＳＰと、上記複数の走査信号線駆動回路４（１）〜４（ｓ）内を通して順次転送されるカスケード信号ＣＡＳＣＡＤＥとが一致するかを判定するゲートスタートパルス信号判定部８により、上記両信号ＧＳＰ・ＣＡＳＣＡＤＥのオンパルスの周期が相違すると判定された時には、上記データ信号線駆動回路３に入力されている映像信号ＤＡＴ１を、信号電圧の変化量が当該映像信号ＤＡＴ１の変化量よりも小さくなるような類似映像信号ＤＡＴ２に切り変えて駆動することが好ましい。
【０１２０】
上記構成によれば、リップルが発生した場合に、さらに誤認識され易い構成である上記走査信号線駆動回路４ａが、複数の走査信号線駆動回路４（１）〜４（ｓ）が接続されて構成されている場合においても、リップルの発生を抑制することができ、特定の表示パターンを表示する場合に発生する走査信号線駆動回路４ａの誤動作による画質不具合の発生を抑制することのできる液晶表示装置用駆動回路１０または、液晶表示装置用駆動回路１０の駆動方法を実現することができる。
【０１２１】
〔実施の形態３〕
つぎに、図４に基づいて、本発明の第３の実施形態について説明する。なお、本実施の形態において説明すること以外の構成は、上記実施の形態１と同じである。また、説明の便宜上、上記の実施の形態１の図面に示した部材と同じ機能を有する部材については、同じ符号を付し、その説明を省略する。
【０１２２】
図４は、本発明のさらに他実施の形態の液晶表示装置２１の要部構成を示すブロック図である。
【０１２３】
上記液晶表示装置２１に備えられた液晶表示装置用駆動回路２０は、データ信号線駆動回路３と、走査信号線駆動回路４と、上記両駆動回路３・４に制御信号を供給するための制御回路６と、上記両駆動回路３・４に電力を供給する電源回路５とを備えている。
【０１２４】
さらに、上記制御回路６は、上記制御回路６から出力されるゲートスタートパルス信号ＧＳＰと、上記走査信号線駆動回路４内を通して順次転送されるカスケード信号ＣＡＳＣＡＤＥとが一致するかを判定するゲートスタートパルス信号判定部８と上記信号判定部８により、上記両信号ＧＳＰ・ＣＡＳＣＡＤＥのオンパルスの周期が相違すると判定された場合に、上記データ信号線駆動回路３をフレーム反転駆動方式または、カラム反転駆動方式で駆動するための駆動方式切り替え部１１とを備えている。なお、本実施の形態においては、上記ゲートスタートパルス信号判定部８と駆動方式切り替え部１１とを上記制御回路６内に設けたが、これに限定されることはない。
【０１２５】
上記駆動方式切り替え部１１は、上記信号判定部８の判定結果を受けて作動され、上記両信号ＧＳＰ・ＣＡＳＣＡＤＥのオンパルスの周期が相違すると判定された場合に、データ信号線駆動回路３を同一フレームの同一データ信号線ＳＬ上では、極性反転が生じない駆動方式であるフレーム反転駆動方式または、カラム反転駆動方式で駆動するために備えられている。例えば、ドット反転駆動方式をカラム反転駆動方式に替える場合は、上記駆動方式切り替え部１１では、毎水平期間度に送られていた極性変換信号ＰＯＬを毎垂直期間度に送るように変換を行うこととなる。
【０１２６】
また、例えば、ドット反転駆動方式をフレーム反転駆動方式に替える場合においては、上記駆動方式切り替え部１１では、上記データ信号線ＳＬに全て同極性の信号が送られるように変換を行うとともに、毎水平期間度に送られていた極性変換信号ＰＯＬを毎垂直期間度に送るように変換を行うこととなる。
【０１２７】
特定の表示パターン（キラーパターン）をドット反転駆動方式を用いて表示させた場合には、リップルが発生しても、上記フレーム反転駆動方式または、カラム反転駆動方式で駆動する場合には、リップルが発生しない。
【０１２８】
上記構成によれば、リップルが発生し、ゲートスタートパルス信号判定部８により、上記制御回路６から出力されるゲートスタートパルス信号ＧＳＰと、走査信号線駆動回路４内を通して順次転送されるカスケード信号ＣＡＳＣＡＤＥとのオンパルスの周期が相違すると判定された時には、データ信号線駆動回路３を同一フレームの同一データ信号線ＳＬ上では、極性反転が生じない駆動方式であるフレーム反転駆動方式または、カラム反転駆動方式で駆動するための駆動方式切り替え部１１を備えている。
【０１２９】
上記のような駆動方式に切り替えることにより、リップル発生の原因であるデータ信号線ＳＬにおいての信号電圧の変化量を小さくすることができる。
【０１３０】
以上のように、上記のような駆動方式に切り替えることにより、リップルの発生を抑制することができ、特定の表示パターンを表示する場合に発生する走査信号線駆動回路４の誤動作による画質不具合の発生を抑制することのできる液晶表示装置用駆動回路２０または、液晶表示装置用駆動回路２０の駆動方法を実現することができる。
【０１３１】
〔実施の形態４〕
つぎに、図２（ｂ）および図４に基づいて、本発明の第４の実施形態について説明する。なお、本実施の形態において説明すること以外の構成は、上記実施の形態１と同じである。また、説明の便宜上、上記の実施の形態１の図面に示した部材と同じ機能を有する部材については、同じ符号を付し、その説明を省略する。
【０１３２】
本発明の第４の実施形態は、上述した本発明の第２の実施形態と本発明の第３の実施形態とを組み合わせたものである。
【０１３３】
本発明のさらに他実施の形態の液晶表示装置に備えられた液晶表示装置用駆動回路は、図２（ｂ）に図示されているように、複数の走査信号線駆動回路４（１）〜４（ｓ）が接続された走査信号線駆動回路４ａを備えており、図４に図示されているように、上記制御回路６から出力されるゲートスタートパルス信号ＧＳＰと、上記複数の走査信号線駆動回路４（１）〜４（ｓ）内を通して順次転送されるカスケード信号ＣＡＳＣＡＤＥとが一致するかを判定するゲートスタートパルス信号判定部８を備え、さらには、上記信号判定部８により、上記両信号ＧＳＰ・ＣＡＳＣＡＤＥのオンパルスの周期が相違すると判定された場合に、上記データ信号線駆動回路３をフレーム反転駆動方式または、カラム反転駆動方式で駆動するための駆動方式切り替え部１１を備えていることが好ましい。
【０１３４】
上記液晶表示装置用駆動回路は、上記制御回路６から出力されるゲートスタートパルス信号ＧＳＰと、上記複数の走査信号線駆動回路４（１）〜４（ｓ）内を通して順次転送されるカスケード信号ＣＡＳＣＡＤＥとが一致するかを判定するゲートスタートパルス信号判定部８により、上記両信号ＧＳＰ・ＣＡＳＣＡＤＥのオンパルスの周期が相違すると判定された時には、上記データ信号線駆動回路３をフレーム反転駆動方式または、カラム反転駆動方式で駆動することが好ましい。
【０１３５】
上記構成によれば、さらに誤認識され易い構成である上記走査信号線駆動回路４ａが、複数の走査信号線駆動回路４（１）〜４（ｓ）が接続されて構成されている場合においても、リップルの発生を抑制することができ、特定の表示パターンを表示する場合に発生する走査信号線駆動回路４ａの誤動作による画質不具合の発生を抑制することのできる液晶表示装置用駆動回路または、液晶表示装置用駆動回路の駆動方法を実現することができる。
【０１３６】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１３７】
本発明は、液晶表示装置を駆動するための液晶表示装置用駆動回路と、液晶表示装置とに適用することができる。
【図面の簡単な説明】
【０１３８】
【図１】本発明の一実施の形態の液晶表示装置の要部構成を示すブロック図である。
【図２】本発明の一実施の形態の液晶表示装置に備えられた走査信号線駆動回路の概略構成と本発明の他実施の形態の液晶表示装置に備えられた走査信号線駆動回路の概略構成とを示す図である。
【図３】本発明の一実施の形態の液晶表示装置に備えられている映像信号切り替え部を示す図である。
【図４】本発明のさらに他実施の形態の液晶表示装置の要部構成を示すブロック図である。
【図５】従来の液晶表示装置の各種極性反転駆動方式を説明するための図である。
【図６】ドット反転駆動方式を用いて、従来の液晶表示装置を駆動させる時において、走査信号線駆動回路が誤動作され、画像に乱れが生じる表示パターンを例示的に示す図である。
【図７】ＴＦＴを用いた従来のアクティブマトリックス型液晶表示装置の要部構成を示すブロック図である。
【図８】従来の液晶表示装置に備えられている液晶パネルの各画素の等価回路を示しており、走査信号線にリップルが発生することを説明するための図である。
【図９】従来の液晶表示装置に備えられている走査信号線駆動回路の要部構成を示す図である。
【図１０】上記走査信号線駆動回路に備えられたロジック電源部を概略的に示す図である。
【図１１】上記走査信号線駆動回路において、信号が誤認識される期間が発生する場合を示す図である。
【図１２】（ａ）は、外部から走査信号線駆動回路に入力されるゲートスタートパルス信号を示し、（ｂ）は、リップル発生時に、上記走査信号線駆動回路内部で認識されるゲートスタートパルス信号または、カスケード信号を示す。
【符号の説明】
【０１３９】
１、２１              液晶表示装置
３                    データ信号線駆動回路
４、４ａ              走査信号線駆動回路
５                    電源回路
６                    制御回路
８                    ゲートスタートパルス信号判定部
９                    映像信号切り替え部
１０、２０            液晶表示装置用駆動回路
１１                  駆動方式切り替え部
１２                  シフトレジスタ
ＧＳＰ                ゲートスタートパルス信号
ＣＡＳＣＡＤＥ        カスケード信号
ＤＡＴ１              映像信号
ＤＡＴ２              類似映像信号
ＬＵＴ１              第１ルックアップテーブル
ＬＵＴ２              第２ルックアップテーブル
ＳＬ                  データ信号線
ＧＬ                  走査信号線
【図１】
2010113299.tif 000003
【図２】
2010113299.tif 000004
【図３】
2010113299.tif 000005
【図４】
2010113299.tif 000006
【図５】
2010113299.tif 000007
【図６】
2010113299.tif 000008
【図７】
2010113299.tif 000009
【図８】
2010113299.tif 000010
【図９】
2010113299.tif 000011
【図１０】
2010113299.tif 000012
【図１１】
2010113299.tif 000013
【図１２】
2010113299.tif 000014